(57)【要約】【課題】振動の入力に対して基板の配線の断線や接点不良、疲労破壊を防止できる電子装置の提供である。【解決手段】本発明の電子装置Ｅは、端子２を有する基板１と、内部に基板１を収容する筐体３と、前記筐体３に設けられて前記端子２が差し込まれると前記端子２を保持して前記基板１を支持するコネクタ４と、前記筐体３に設けられて前記基板１へ向けて突出して基板１に接する支持部５と、前記基板１を支持部５へ固定する固定具６とを備えたことを特徴とする。【選択図】図１
2018037568.tif 000002
【特許請求の範囲】
【請求項１】
端子を有する基板と、
内部に前記基板を収容する筐体と、
前記筐体に設けられて前記端子が差し込まれると前記端子を保持して前記基板を支持するコネクタと、
前記筐体に設けられて前記基板へ向けて突出して基板に接する支持部と、
前記基板を支持部へ固定する固定具とを備えた
ことを特徴とする電子装置。
【請求項２】
前記支持部は、前記基板に設置される電子部品の近傍に接する
ことを特徴とする請求項１に記載の電子装置。
【請求項３】
前記支持部は、前記電子部品の近傍に複数設けられ、
前記電子部品が近傍に配置される複数の前記支持部の間に配置される
ことを特徴とする請求項２に記載の電子装置。
【請求項４】
前記支持部は、前記基板にスポットで接する
ことを特徴とする請求項１から３のいずれか一項に記載の電子装置。
【発明の詳細な説明】
【技術分野】
【０００１】
本発明は、電子装置に関する。
【背景技術】
【０００２】
基板と基板を収容する筐体を備えた電子装置は、メンテナンスの際には基板を筐体から取り外しに便利なように、基板の端子を筐体に設けたコネクタに抜き差しできるようになっている。
【０００３】
具体的には、筐体に設けたコネクタに基板の端子を差し込むと、コネクタによって端子が保持されるようになっており、コネクタで基板を片持ち支持するようになっている（たとえば、特許文献１参照）。
【先行技術文献】
【特許文献】
【０００４】
【特許文献１】特開２０１４−２３９１０３号公報（図７）
【発明の概要】
【発明が解決しようとする課題】
【０００５】
このように、従来の電子装置では、基板がコネクタによって片持ち支持されているので、航空機や車両といった振動が絶えず入力されるような環境に使用されるには、不向きである。
【０００６】
と言うのは、従来の電子装置では、振動が継続的に入力されると片持ち支持された基板が振動するので、基板にプリントされた配線が断線したり、端子とコネクタの接点同士が摩耗して接点不良が生じたり、端子やコネクタが疲労して破壊する可能性がある。
【０００７】
そこで、本発明は前記問題を解決するために創案されたものであって、その目的は、振動の入力に対して基板の配線の断線や接点不良、疲労破壊を防止できる電子装置の提供である。
【課題を解決するための手段】
【０００８】
本発明の電子装置は、端子を有する基板と、基板を収容する筐体と、端子が差し込まれると端子を保持して基板を支持するコネクタと、基板へ向けて突出して基板に接する支持部と、基板を支持部へ固定する固定具とを備えている。よって、本発明の電子装置では、基板をコネクタのみならず支持部によっても支持できるので、振動が入力されても基板が撓むように激しく振動せずに済む。
【０００９】
また、支持部が基板の電子部品の近傍を支持するように構成される電子装置では、筐体で電子部品の重量を支えるために、振動入力時における基板への負荷がより一層軽減される。
【００１０】
そして、支持部が電子部品の近傍に複数設けられて、電子部品が近傍に配置される複数の支持部の間に配置されるように構成される電子装置では、より基板に負担をかけずに電子部品の重量を支えられる。
【００１１】
さらに、支持部が基板にスポットで接するように構成される電子装置では、基板への接触面積が少なく、基板と筐体との間には支持部の高さ分の隙間が形成されるので、基板の放熱を妨げず、基板の熱による劣化を抑制できる。
【発明の効果】
【００１２】
本発明の電子部品によれば、振動が継続的に入力されても基板が激しく振動しないので、基板上の配線の断線、接点同士の摩耗による接点不良、端子およびコネクタの疲労を防止できる。
【図面の簡単な説明】
【００１３】
【図１】一実施の形態における電子装置の縦断面図である。
【図２】一実施の形態における電子装置の横断面図である。
【図３】支持部の斜視図である。
【発明を実施するための形態】
【００１４】
以下、図に示した実施の形態に基づき、本発明を説明する。本実施の形態における電子装置Ｅは、図１および図２に示すように、端子２を有する基板１と、基板１を収容する筐体３と、筐体３に設けられて基板１を支持するコネクタ４と、基板１に接する支持部５と、基板１を支持部５へ固定する固定具６とを備えて構成されている。
【００１５】
以下、電子装置Ｅの各部について詳細に説明する。電子装置Ｅは、図示はしないが、たとえば、航空機の降着装置の脚を駆動する電動アクチュエータのモータのコントローラ等とされて、脚を収容する格納庫内に設置されて使用される。電子装置Ｅは、当然、航空機以外にも使用可能であり、用途もコントローラに限定されるものではない。
【００１６】
基板１には、本例では、二つの電子部品７ａ，７ｂが実装されており、電子部品７ａ，７ｂへ外部から電流供給および電子部品７ａ，７ｂと外部との信号のやり取りを行うための端子２を側部に備えている。端子２は、基板１の側部に突出する突出片２ａと、突出片２ａ上に設けた複数の接点２ｂを備えている。電子部品７ａ，７ｂは、たとえば、電動アクチュエータに安定した電力を供給する等の目的で設けられるコンデンサ、ノイズ除去用のアナログのローパスフィルタ、或いは、前述のモータを制御するためのＣＰＵ等とされるが、例示したものに限定されるものではない。
【００１７】
筐体３は、箱形をしており、内部に基板１を収容できるようになっており、側部に内側に開口するスロット４ａを備えてコネクタ４が設けられている。コネクタ４は、スロット４ａ内に複数の接点４ｂを備えている。そして、基板１の端子２がスロット４ａ内に差し込まれると、端子２の接点２ｂとコネクタ４の接点４ｂとが接触するとともに、コネクタ４は、端子２を保持して基板１を筐体３内で支持する。コネクタ４の接点４ｂは、図示しない外部の電源や機器といった外部機器に接続されており、基板１上に設けた電子部品７と外部機器とがコネクタ４を介して接続される。
【００１８】
また、筐体３には、基板１の下面に対向する面から基板１へ向けて突出して基板１に接する支持部５が設けられている。支持部５は、具体的には、図１および図２に示すように、基板１に設けられる重量物である電子部品７ａ，７ｂを支えて基板１へ電子部品７の重量に起因する負荷を軽減できるように、平面視で基板１の電子部品７の設置個所の近傍に接するよう配置される。
【００１９】
支持部５は、本例では、電子部品７ａ，７ｂを支持できるよう電子部品７ａ，７ｂの近傍にそれぞれ二個ずつの合計四個が筐体３に設けられている。支持部５は、それぞれ、図３に示すように、四角錐台形状とされて、基板１へ接触する接触部５ａから開口する螺子孔５ｂを備えている。そして、この螺子孔５ｂには螺子である固定具６が螺着される。また、支持部５の接触部５ａの面積は、螺子孔５ｂの形成が可能とされるものの、平面視で基板１の面積に比して極小さくなるような面積に設定されている。つまり、支持部５は、基板１に対してスポットで接している。なお、支持部５の形状は、四角錐台形状以外の形状とされてもよく、多角錐台形状、円錐台形状、半球形状の他、基板１を支持できる限りにおいてその形状は任意に設定できる。
【００２０】
また、基板１の支持部５に対向するそれぞれの箇所には、螺子である固定具６の螺子軸６ａ部分の挿入を可能とする挿通孔１ａが設けられている。固定具６は、本例では、螺子であるが、基板１を支持部５に固定可能なものであればよいので、螺子以外にも、たとえば、先割れピン等を用いてもよく、支持部５と固定具６が協同して基板１を支持部５に固定できるものであればよい。また、本例では、固定具６が螺子であるので、支持部５に螺子孔５ｂを設けているが、支持部５には、固定具６に適した構造を採用すればよい。
【００２１】
以上のように、本発明の電子装置Ｅは、端子２を有する基板１と、基板１を収容する筐体３と、端子２が差し込まれると端子２を保持して基板１を支持するコネクタ４と、基板１へ向けて突出して基板１に接する支持部５と、基板１を支持部５へ固定する固定具６とを備えている。
【００２２】
よって、電子装置Ｅでは、基板１の端子２を図１中で横方向からスロット４ａに差し込み、基板１をコネクタ４で支持される状態とし、基板１に設けた挿通孔１ａを通して固定具６を支持部５に螺着すれば、基板１を筐体３に固定できる。
【００２３】
このように基板１が筐体３に固定すれば、基板１は、筐体３によってコネクタ４のみならず支持部５によっても支持される。ここで、基板１がコネクタ４のみで片持ち支持されると基板１が片持ちの梁のようになり基板１のみで電子部品７ａ，７ｂを支えるために、振動が入力されるとコネクタ４で支持する箇所を支点として基板１が激しく振動する。これに対して、本発明では、コネクタ４だけでなく支持部５でも基板１を支持するので、基板１が撓むように激しく振動してしまう状況とはならない。よって、本発明の電子装置Ｅでは、基板１が支持部５によっても支持されるので、基板１がコネクタ４のみによって片持ち支持される状態に比較すると、筐体３に外部から振動が作用しても基板１が撓むように大きく激しく振動せずに済むのである。
【００２４】
よって、本発明の電子装置Ｅによれば、振動が継続的に入力されても基板１が激しく振動しないので、基板１上の配線の断線、接点２ｂ，４ｂ同士の摩耗による接点不良、端子２およびコネクタ４の疲労を防止できる。
【００２５】
また、本例では、支持部５は、基板１の電子部品７ａ，７ｂの近傍を支持するので、筐体３で電子部品７ａ，７ｂの重量を支えるために、振動入力時における基板１への負荷がより一層軽減される。なお、支持部５は、基板１の規模にもよるが、基板１を平面視で見た際に電子部品７ａ，７ｂから２ｃｍ以内の範囲に設けられるとよい。また、本例では、支持部５が基板１を下方から支持する態様となっているが、固定具６で基板１を支持部５に固定するので、筐体３の設置状態によって支持部５が基板１の上方に配置される態様や、基板１の横方向に配置される態様でも電子装置Ｅを使用できる。
【００２６】
また、本例では、図２に示すように、電子部品７ａ，７ｂがそれぞれ電子部品７ａ，７ｂの近傍設けた複数の支持部５，５間に配置されるので、基板１により負担をかけずに電子部品７ａ，７ｂの重量を支えられる。
【００２７】
さらに、支持部５は、基板１にスポットで接するので、基板１への接触面積が少なく、基板１と筐体３との間には支持部５の高さ分の隙間が形成されるので、基板１の放熱を妨げず、基板１の熱による劣化を抑制できる。また、筐体３内で支持部５が空気の流れを妨げないので、基板１のみならず筐体３内の温度上昇も抑制できるので、冷却ファンを設置する場合には、冷却ファンの劣化を抑制できる。
【００２８】
以上、本発明の好ましい実施の形態を詳細に説明したが、特許請求の範囲から逸脱しない限り、改造、変形および変更が可能である。
【符号の説明】
【００２９】
１・・・基板、２・・・端子、３・・・筐体、４・・・コネクタ、５・・・支持部、６・・・固定具、７ａ，７ｂ・・・電子部品
【図１】
2018037568.tif 000003
【図２】
2018037568.tif 000004
【図３】
2018037568.tif 000005